(57)【要約】【課題】機械式駐車装置の利用者をタイミング良く正確に判別することができ、利用者の利便性を一層向上させた機械駐車場ビルセキュリティ連動装置を提供する。【解決手段】操作盤１に、セキュリティビル側の認証処理部９で使用しているＩＣタグを読み取るリーダー６を設け、リーダー６にＩＣタグがかざされたときにセキュリティビル側の認証処理部９で認証処理を行い、ビルセキュリティ盤７に、認証されたときビルセキュリティシステム側データを駐車場制御盤１２に送信する通信送受信部１０を設け、駐車場制御盤１２に、通信送受信部１８でビルセキュリティシステム側データを受信したときビルセキュリティシステム側データと駐車車両を管理する機械式駐車装置側データに置換して操作盤１から利用者が指定した処理を行うことを許すビルセキュリティシステム側データ／機械式駐車装置側データリスト検索部とを設けた。【選択図】図１
2019049109.tif 000002
【特許請求の範囲】
【請求項１】
駐車場乗込み口付近に設けた操作盤と、前記操作盤と通信を行って駐車車両の入出庫を行う駐車場制御盤を備えた機械式駐車装置に隣接して、認証処理部を有するビルセキュリティ盤を備えたセキュリティビルが建てられている機械駐車場ビルセキュリティ連動装置において、
前記操作盤に、前記セキュリティビル側の前記認証処理部での認証処理のために使用しているセキュリティビル側認証用媒体を読み取るリーダーを設け、前記リーダーに前記セキュリティビル側認証用媒体がかざされたときに前記セキュリティビル側の前記認証処理部で認証処理を行い、前記ビルセキュリティ盤に、認証されたときビルセキュリティシステム側データを前記駐車場制御盤に送信する通信送受信部を設け、前記駐車場制御盤に、前記ビルセキュリティシステム側データを受信する他の通信送受信部と、前記他の通信送受信部で前記ビルセキュリティシステム側データを受信したとき前記ビルセキュリティシステム側データと駐車車両を管理する機械式駐車装置側データを結びつけて前記操作盤から利用者が指定した処理を行うことを許すビルセキュリティシステム側データ／機械式駐車装置側データリスト検索部とを設けたことを特徴とする機械駐車場ビルセキュリティ連動装置。
【請求項２】
前記ビルセキュリティシステム側データは送信機番号データを含み、前記駐車場制御盤に、予め送信機番号を指定した送信機番号除外リストと前記送信機番号データを比較して駐車場の操作を許さない対象かどうかを検索する送信器番号除外リスト検索部を設けたことを特徴とする請求項１に記載の機械駐車場ビルセキュリティ連動装置。
【発明の詳細な説明】
【技術分野】
【０００１】
本発明は、機械駐車場とビルセキュリティとを連動させた機械駐車場ビルセキュリティ連動装置に関する。
【背景技術】
【０００２】
従来の機械駐車場ビルセキュリティ連動装置として、特開２０１５−４５１７６号公報（特許文献１）が知られている。この特許文献１には、かごの運転を制御するエレベータ制御盤と、前記かご内に設けられ、立体駐車場に駐車された車両の出庫指示を行う車両出庫指示装置と、を備えたエレベータであって、前記車両出庫指示装置は、出庫する車両の車両情報が記憶された記憶手段から車両情報を読み取ることにより車両情報が入力され、通常時に設定される車両情報を入力不能な入力不能モードと、車両情報を入力可能な入力可能モードと、を有する入力手段と、前記入力手段により入力された車両情報により特定される車両の出庫指示信号を、前記エレベータ制御盤を介して、前記立体駐車場に駐車された車両の出庫処理を制御する立体駐車場制御盤に送信する出庫指示信号送信手段と、前記入力手段を前記入力不能モードから前記入力可能モードに移行するモード移行手段と、を備えたエレベータが記載されている。
【先行技術文献】
【特許文献】
【０００３】
【特許文献１】特開２０１５−４５１７６号公報
【発明の概要】
【発明が解決しようとする課題】
【０００４】
しかしながら、特許文献１に記載された従来の機械駐車場ビルセキュリティ連動装置は、機械式駐車装置の利用者と判断できる限定された経路の中だけで有効なものであり、途中に利用者の予測できない行動などが含まれると、十分な効果を期待することができなかった。
【０００５】
本発明の目的は、機械式駐車装置の利用者をタイミング良く正確に判別することができ、利用者の利便性を一層向上させた機械駐車場ビルセキュリティ連動装置を提供することにある。
【課題を解決するための手段】
【０００６】
本発明は上記目的を達成するために、駐車場乗込み口付近に設けた操作盤と、前記操作盤と通信を行って駐車車両の入出庫を行う駐車場制御盤を備えた機械式駐車装置に隣接して、認証処理部を有するビルセキュリティ盤を備えたセキュリティビルが建てられている機械駐車場ビルセキュリティ連動装置において、前記操作盤に、前記セキュリティビル側の前記認証処理部での認証処理のために使用しているセキュリティビル側認証用媒体を読み取るリーダーを設け、前記リーダーに前記セキュリティビル側認証用媒体がかざされたときに前記セキュリティビル側の前記認証処理部で認証処理を行い、前記ビルセキュリティ盤に、認証されたときビルセキュリティシステム側データを前記駐車場制御盤に送信する通信送受信部を設け、前記駐車場制御盤に、前記ビルセキュリティシステム側データを受信する他の通信送受信部と、前記他の通信送受信部で前記ビルセキュリティシステム側データを受信したとき前記ビルセキュリティシステム側データと駐車車両を管理する機械式駐車装置側データを結びつけて前記操作盤から利用者が指定した処理を行うことを許すビルセキュリティシステム側データ／機械式駐車装置側データリスト検索部とを設けたことを特徴とする。
【０００７】
このような構成によれば、セキュリティビルに隣接して機械式駐車装置が構成されている場合、機械式駐車装置の利用は駐車場乗込み口付近に設けた操作盤にビル側認証用媒体をかざしたときに始まるため、機械式駐車装置の利用者をタイミング良く正確に判別することができ、利用者の利便性を一層向上させることができる。また、ビルセキュリティシステムにおけるビル側認証用媒体と、機械式駐車装置を利用するために使用する駐車場側認証用媒体が同一の認証用媒体となるため、ビル利用者は、ビルセキュリティシステムにおけるビル側認証用媒体を持ち歩くだけで、ビルセキュリティシステムを通過すると共に、機械式駐車装置を利用することができるようになる。また、ビルセキュリティシステムにおける認証処理を流用することができるので、機械式駐車装置側の構成を簡略化することができる。
【０００８】
また本発明は上述の構成に加えて、前記ビルセキュリティシステム側データは送信機番号データを含み、前記駐車場制御盤に、予め送信機番号を指定した送信機番号除外リストと前記送信機番号データを比較して駐車場の操作を許さない対象かどうかを検索する送信器番号除外リスト検索部を設けたことを特徴とする。
【０００９】
このような構成によれば、ビルセキュリティシステム側でのビル側認証用媒体のうち子供などが使用する場合には、機械式駐車装置側での操作を阻止することができるので、子供の侵入による不慮の事故発生などを未然に阻止することができ、安全性を一層向上することができる。
【発明の効果】
【００１０】
本発明による機械駐車場ビルセキュリティ連動装置によれば、セキュリティビルに隣接して機械式駐車装置が構成されている場合、機械式駐車装置の利用は駐車場乗込み口付近に設けた操作盤にビル側認証用媒体をかざしたときに始まるため、機械式駐車装置の利用者をタイミング良く正確に判別することができ、利用者の利便性を一層向上させることができる。また、ビルセキュリティシステムにおけるビル側認証用媒体と、機械式駐車装置を利用するために使用する駐車場側認証用媒体が同一の認証用媒体となるため、ビル利用者は、ビルセキュリティシステムにおけるビル側認証用媒体を持ち歩くだけで、ビルセキュリティシステムを通過すると共に、機械式駐車装置を利用することができるようになる。また、ビルセキュリティシステムにおける認証処理を流用することができるので、機械式駐車装置側の構成を簡略化することができる。
【図面の簡単な説明】
【００１１】
【図１】本発明の一実施例による機械駐車場ビルセキュリティ連動装置のブロック構成図である。
【図２】図１に示した機械駐車場ビルセキュリティ連動装置の処理動作を示すフローチャートである。
【発明を実施するための形態】
【００１２】
以下、本発明の実施の形態を図面に基づいて説明する。
【００１３】
図１は、本発明の一実施の形態による機械駐車場ビルセキュリティ連動装置の概略構成を示すブロック構成図である。
【００１４】
マンションなどに隣接して構成された機械式駐車装置は、その乗込口付近に配置された操作盤１を有している。この操作盤１は、利用者に対して表示画面によって入庫操作、呼出操作または認証操作などを促す表示やタッチ操作が可能なタッチパネル式の液晶画面２と、その操作を補足する音声案内を行うためのスピーカ３と、主に管理人によって出入口扉を開動作させるときに操作される出入口扉開ボタン４と、主に利用者によって出入口扉を閉動作させるために操作される出入口扉閉ボタン５と、利用者が予め所持しているＩＣタグがかざされたときに情報を読み取るタグリーダー６などを有している。
【００１５】
ここで、通常の構成と異なるのはタグリーダー６であり、このタグリーダー６は、隣接するマンションの住民が所持し、かつ、マンション自体におけるビルセキュリティシステムで使用されているＩＣタグを読み取ることができるもの、またはビルセキュリティシステムで使用されているタグリーダー６と同一のものである。図１のタグリーダー６は、操作盤１と別置されているように示しているが、操作盤１に組み込まれている。このタグリーダー６は、機械式駐車装置の制御系に接続されているのではなく、マンションのビルセキュリティシステムにおけるビルセキュリティ盤７に接続されている。
【００１６】
ビルセキュリティ盤７は、通常構成の他に、操作盤１に接続されたタグリーダー６にマンションの住民が所持し、かつ、マンションのビルセキュリティシステムで使用されているＩＣタグがかざされたときタグ情報を読み取り処理を行うタグ読込み処理部８と、タグ読込み処理部８による読み取りタグ情報を用いてマンション住民かどうかの認証を行う認証処理部９と、認証処理部９による認証が行われたとき駐車場庫内１１の駐車場制御盤との間で送受信を行う通信送受信部１０を有している。
【００１７】
駐車場庫内１１の駐車場制御盤１２は、操作盤１に接続されて操作盤１の制御を行う操作盤制御部１３と、操作盤制御部１３を通しての信号に基づいて駐車場を制御する駐車場主制御部１４との他に、記憶部１５内に格納された送信器番号除外リスト１６および部屋番号／暗証番号リスト１７を有している。
【００１８】
ここで送信器番号とは、各部屋の送信器（以下ＩＣタグという）に個別に割り振られる番号であり、例えば、１０１号室の送信器番号が「００１」および「００２」というようにまとめられたものである。そして、送信器番号除外リスト１６は、送信器番号を指定して駐車場の操作を許さないようにするために登録するリストである。例えば、１０１号室の送信器番号「００３」のタグは子供が使用するため送信器番号除外リスト１６に登録し、駐車場使用者から除外するものである。部屋番号／暗証番号リスト１７とは、部屋番号(ビルセキュリティ側の番号)と暗証番号(駐車場側の番号)を紐づけて登録するリストである。
【００１９】
さらに駐車場制御盤１２は、ビルセキュリティ盤７の通信送受信部１０から認証確認信号を受ける通信送受信部１８と、駐車場運転前に送信器番号除外リスト１６を検索し、該当する場合は駐車場の運転を許可しない判定をおこなう送信器番号除外リスト検索部１９と、タグがかざされ部屋番号が駐車場側に通知された後、部屋番号／暗証番号リスト１７を検索し、登録があれば「暗証番号」を基に駐車場の運転を開始する部屋番号／暗証番号リスト検索部２０とを備えている。
【００２０】
次に、マンションのビルセキュリティシステムにおけるＩＣタグを使用して機械式駐車装置を利用する場合について説明する。
【００２１】
図２は、上述した機械駐車場ビルセキュリティ連動装置の動作を示すフローチャートである。
【００２２】
今、マンションの住民がビルセキュリティシステムにおけるＩＣタグを所持して、機械式駐車装置の操作盤１の前に立ち、ステップＳ１で、操作盤１のタッチパネル式の液晶画面２を操作して自分の車の呼出操作を行ったとする。
【００２３】
すると、駐車場制御盤１２はステップＳ２で、通信受信処理を開始し、駐車場制御盤１２における操作盤制御部１３によって制御されている操作盤１のタッチパネル式の液晶画面２に、「タグ受付画面」を表示し、利用者にＩＣタグによるタグタッチを促す。この時点で、実際のタグタッチ待ち状態となる。
【００２４】
利用者がステップＳ３で、これに促されてビルセキュリティシステムで使用しているＩＣタグを、機械式駐車装置の操作盤１におけるタグリーダー６にかざしたとする。すると、利用者は機械式駐車装置における操作盤１で操作を行っているが、ビルセキュリティ盤７におけるタグ読込み処理部８がステップＳ４で、タグリーダー６を通してタグ情報読込み処理を行う。次いで、ビルセキュリティ盤７における認証処理部９はステップＳ５で、操作盤１に設けたタグリーダー６からの読み取りではあるが、読み取ったタグ情報に基づいて、ビルセキュリティシステムの機能を使用して同様の認証処理を開始する。
【００２５】
その結果、マンション住民としての認証が行われた場合、ビルセキュリティ盤７はステップＳ６で、通信送受信部１０を通して駐車場制御盤１２の通信送受信部１８へ認証に用いた部屋番号および送信機番号データを送信する。
【００２６】
これに対して、操作盤制御部１２の通信送受信部１８はステップＳ７で、部屋番号および送信機番号データを受信する。すると部屋番号／暗証番号リスト検索部２０はステップＳ８で、受信した部屋番号を用いて、予め駐車場制御盤１２の記憶部に格納されている部屋番号／暗証番号リスト１７の検索を行う。
【００２７】
その結果、機械式駐車装置の利用者としての部屋番号の登録があると判定されると、次いで、送信器番号除外リスト検索部１９はステップＳ９で、受信した送信器番号データを用いて予め記憶部に格納されている送信器番号除外リスト１６の検索を行う。
【００２８】
その結果、駐車車両または駐車場の操作を許されているＩＣタグの所持者であると判定されると、部屋番号／暗証番号リスト検索部２０はステップＳ１０で、部屋番号／暗証番号リスト１７から予め登録されている暗証番号を抽出し置換する。
【００２９】
その後、駐車場制御盤１２の駐車場制御部１４は、暗証番号に基づくデータを用いて運転処理を開始する。例えば、今回の利用者における操作盤１での操作が出庫操作であるから、対応する駐車車両の出庫操作を行う。
【００３０】
このようにマンションなどのセキュリティビルに隣接して機械式駐車装置が構成されている場合、ビルセキュリティシステムにおけるＩＣタグなどのビル側認証用媒体と、機械式駐車装置を利用するために使用するＩＣタグなどの駐車場側認証用媒体が同一の認証用媒体となるため、マンション住民などのビル利用者は、ビルセキュリティシステムにおけるＩＣタグを持ち歩くだけで、ビルセキュリティシステムを通過すると共に、機械式駐車装置を利用することができるようになる。こうして、ビルに併設された機械式駐車装置を使用する場合、ビル利用者の利便性が向上する。
【００３１】
しかも、同一のＩＣタグなどのセキュリティビル側認証用媒体の使い方と、同じ使い方で機械式駐車装置を利用できるので、使用方法で混乱することがない。つまり、いずれの場合も、利用者は、ＩＣタグなどのセキュリティビル側認証用媒体をタグリーダーなどのリーダーにかざすだけですむ。
【００３２】
上述した実施例では、ＩＣタグを使用しているが、他の認証媒体を使用することもできる。またビルセキュリティシステム側の認証に部屋番号および送信機番号データを用いたが、部屋番号に限らずビルセキュリティシステム側データを使用することができる。これに合わせて、駐車場制御部１２の記憶部１５に格納した部屋番号／暗証番号リスト１７は、ビルセキュリティシステム側データと機械式駐車装置側データを結びつけるビルセキュリティシステム側データ／機械式駐車装置側データリスト１７として使用することができる。また、部屋番号／暗証番号リスト検索部２０も、ビルセキュリティシステム側データ／機械式駐車装置側データリスト検索部２０として用いることができる。
【００３３】
以上説明したように本発明は、駐車場乗込み口付近に設けた操作盤１と、操作盤１と通信を行って駐車車両の入出庫を行う駐車場制御盤１２を備えた機械式駐車装置に隣接して、認証処理部９を有するビルセキュリティ盤７を備えたセキュリティビルが建てられている機械駐車場ビルセキュリティ連動装置において、操作盤１に、セキュリティビル側の認証処理部９での認証処理のために使用しているセキュリティビル側認証用媒体を読み取るリーダー６を設け、リーダー６にセキュリティビル側認証用媒体がかざされたときにセキュリティビル側の認証処理部９で認証処理を行い、ビルセキュリティ盤７に、認証されたときビルセキュリティシステム側データを駐車場制御盤１２に送信する通信送受信部１０を設け、駐車場制御盤１２に、ビルセキュリティシステム側データを受信する他の通信送受信部１８と、他の通信送受信部１８でビルセキュリティシステム側データを受信したときビルセキュリティシステム側データと駐車車両を管理する機械式駐車装置側データに置換して操作盤１から利用者が指定した処理を行うことを許すビルセキュリティシステム側データ／機械式駐車装置側データリスト検索部とを設けたことを特徴とする。
【００３４】
このような構成によれば、セキュリティビルに隣接して機械式駐車装置が構成されている場合、機械式駐車装置の利用は駐車場乗込み口付近に設けた操作盤１にビル側認証用媒体をかざしたときに始まるため、機械式駐車装置の利用者をタイミング良く正確に判別することができ、利用者の利便性を一層向上させることができる。また、ビルセキュリティシステムにおけるビル側認証用媒体と、機械式駐車装置を利用するために使用する駐車場側認証用媒体が同一の認証用媒体となるため、ビル利用者は、ビルセキュリティシステムにおけるビル側認証用媒体を持ち歩くだけで、ビルセキュリティシステムを通過すると共に、機械式駐車装置を利用することができるようになる。また、ビルセキュリティシステムにおける認証処理を流用することができるので、機械式駐車装置側の構成を簡略化することができる。
【００３５】
また本発明は上述の構成に加えて、ビルセキュリティシステム側データは送信機番号データを含み、駐車場制御盤１２に、予め送信機番号を指定した送信機番号除外リストと送信機番号データを比較して駐車場の操作を許さない対象かどうかを検索する送信器番号除外リスト検索部を設けたことを特徴とする。
【００３６】
このような構成によれば、ビルセキュリティシステム側でのビル側認証用媒体のうち子供などが使用する場合には、機械式駐車装置側での操作を阻止することができるので、子供の侵入による不慮の事故発生などを未然に阻止することができ、安全性を一層向上することができる。
【符号の説明】
【００３７】
１    操作盤
６    タグリーダー
７    ビルセキュリティ盤
９    認証処理部
１０  通信送受信部
１２  駐車場制御盤
１４  駐車場主制御部
１８  通信送受信部
１９  送信器番号除外リスト検索部
２０  部屋番号／暗証番号リスト検索部
【図１】
2019049109.tif 000003
【図２】
2019049109.tif 000004